(57)【要約】      （修正有）【課題】水路切り替え操作の手触りが良い多機能シャワーヘッドを提供する。【解決手段】固定座４０、駆動機構８０、固定座４０に回して連接している分水盤２０と分水盤の下に位置する分水体６０を含み、分水体にシャワーヘッドの散水機能に対応して連通している複数の分水孔６２が設置され、分水盤には吐水孔が設置され、駆動機構は分水盤を連動して分水体に対して回転させ、吐水孔と選択的に連通している一部の分水孔がシャワーヘッド吐水機能の切り替えを実現し、分水盤と固定座の間には密封リング３０が挟持され、密封リングで分水盤の上表面に一つの防水区を囲み、各分水孔に対応して密封リングが設置され、分水盤の下表面は密封リングの上に押し付け、うち、吐水孔と連通していない分水孔に対応する密封リングで分水盤の下表面を一つの非排水区を囲み、防水区と非排水区の面積はほぼ同じである。【選択図】図１
2016140767.tif 000002
【特許請求の範囲】
【請求項１】
固定座、駆動機構、固定座に回して連接している分水盤と分水盤の下に位置する分水体を含み、前記分水体にはシャワーヘッドの散水機能に対応して連通している複数の分水孔が設置され、前記分水盤には吐水孔が設置され、前記駆動機構が分水盤を連動して分水体に対して回転させ、吐水孔と選択的に連通している一部の分水孔がシャワーヘッド吐水機能の切り替えを実現する多機能シャワーヘッドであって、
前記分水盤と固定座の間には密封リングが挟持され、前記密封リングで分水盤の上表面に一つの防水区を囲み、前記各分水孔に対応して密封リングが設置され、前記分水盤の下表面が前記密封リングの上に押し付け、うち、吐水孔と連通していない分水孔に対応する密封リングで分水盤の下表面に一つの非排水区を囲み、前記防水区と前記非排水区の面積はほぼ同じであることを特徴とする多機能シャワーヘッド。
【請求項２】
さらに一つの弾性部品を設置して分水盤を密封リングの上にしっかりと押し付け、前記分水盤にはさらに分水盤の上下表面を連通している通路が設置されることを特徴とする請求項１に記載の多機能シャワーヘッド。
【請求項３】
前記分水孔の数は６個で、リングの行列で配列し、隣接する二つの分水孔の間隔は６０度であり、前記吐水孔の数は４個で、リングの行列で配列し、隣接する二つの吐水孔の間隔は９０度であり、前記駆動機構は押圧式の駆動機構であり、前記駆動機構が毎回分水盤を駆動して３０度を回転させることを特徴とする請求項２に記載の多機能シャワーヘッド。
【請求項４】
６個の分水孔は平均で三組に分け、三組の分水孔はそれぞれ三つの水路と繋がり、三つの水路の中の一つの水路の流量は他の二つの水路の流量より遥かに小さいことを特徴とする請求項３に記載の多機能シャワーヘッド。
【請求項５】
前記固定座は本体及び金属嵌め子を含み、前記金属嵌め子は前記本体の下表面に固定され、前記本体には一つの進水路が設置され、前記進水路は本体に一体成形されていることを特徴とする請求項１〜４のいずれかに記載の多機能シャワーヘッド。
【請求項６】
前記駆動機構はボタン、前記固定座にピン接合している揺れ部品と歯止め、滑り部品、歯車、歯止めのリセットを駆動するリセット部品、分水盤と歯車を連結する伝動部品を含み、ボタンを押して揺れ部品が滑り部品を押して滑り、滑り部品は歯止めを駆動して、歯車の回転を押し進めることを特徴とする請求項１に記載の多機能シャワーヘッド。
【請求項７】
前記駆動機構はさらに、前記歯車に対応して設置している位置止め爪を含み、前記位置止め爪は前記固定座に連結していることを特徴とする請求項６に記載の多機能シャワーヘッド。
【請求項８】
前記リセット部品は前記歯止めの端部に連接している弾性アームであり、前記リセット部品に対して前記固定座にシャッターが設置されていることを特徴とする請求項１に記載の多機能シャワーヘッド。
【請求項９】
前記リセット部品は前記固定座に設置しているスプリングであり、前記歯止めには前記スプリングを押し出す当接アームが設置されていることを特徴とする請求項６に記載の多機能シャワーヘッド。
【請求項１０】
前記リセット部品は前記固定座に設置しているスプリングであり、前記スプリングは前記滑り部品と前記固定座の間に連結し、前記歯止めと前記滑り部品が締め付けていることを特徴とする請求項６に記載の多機能シャワーヘッド。
【発明の詳細な説明】
【技術分野】
【０００１】
本発明はシャワーヘッドに関し、特に水路切り替え機能を有する多機能シャワーヘッドに関する。
【背景技術】
【０００２】
水路の切り替えができるシャワーヘッドは、通常一つの分水盤と分水盤を伴って水路の切り替えを実現する駆動機構を含む。動作方式の違いにより、駆動機構は、ボタンにより切り替える駆動機構、表面蓋回転して切り替える駆動機構、揺らして切り替える駆動機構に分けられる。しかし、いずれの駆動機構であっても、分水盤は回すときに、高水圧の作用力を克服しなければならないため、操作の手触りが悪い。特に、ボタンにより切り替える駆動機構の方式では、押す力が大きいだけでなく、分水盤が回る時に、密封シールが連れられて移動しやすいため、シャワーヘッドの密封性能が破壊され、シャワーヘッドの密封効果に影響する。
【発明の概要】
【発明が解決しようとする課題】
【０００３】
本発明は多機能シャワーヘッドを提供し、切り替えの手触りが良く、背景技術に存在している不足を克服した。
【課題を解決するための手段】
【０００４】
本発明が技術問題を解決するために採用した技術案は、多機能シャワーヘッドであって、固定座、駆動機構、固定座に回して連接している分水盤と分水盤の下に位置する分水体を含み、前記分水体にはシャワーヘッドの散水機能に対応して連通している複数の分水孔が設置され、前記分水盤には吐水孔が設置され、前記駆動機構が分水盤を伴って分水体に対して回転し、吐水孔と選択的に連通している一部の分水孔がシャワーヘッドの吐水機能の切り替えを実現し、前記分水盤と固定座の間には密封リングが挟持され、前記密封リングで分水盤の上表面に一つの防水区を囲み、前記各分水孔に対応して密封リングが設置され、前記分水盤の下表面を前記密封リングの上に押し付け、うち、吐水孔と連通していない分水孔に対応する密封リングで分水盤の下表面を一つの非排水区を囲み、前記防水区と前記非排水区の面積はほぼ同じである。
【０００５】
好ましい実施形態において、さらに一つの弾性部品を設置して分水盤を密封リングの上にしっかりと押し付け、前記分水盤にはさらに分水盤の上下表面を連通している通路が設置される。
【０００６】
好ましい実施形態において、前記分水孔の数は６個で、リングの行列で配列し、隣接する２つの分水孔の間隔は６０度であり、前記吐水孔の数は４個で、リングの行列で配列し、隣接する２つの吐水孔の間隔は９０度であり、前記駆動機構は押圧式の駆動機構で、前記駆動機構が毎回分水盤を駆動して３０度を回転させる。
【０００７】
好ましい実施形態において、６個の分水孔は平均で３組に分けられ、３組の分水孔はそれぞれ三つの水路と繋がり、三つの水路のうち一つの水路の流量は他の二つの水路の流量より遥かに小さい。
【０００８】
好ましい実施形態において、前記固定座は本体及び金属嵌め子を含み、前記金属嵌め子は前記本体の下表面に固定され、前記本体には一つの進水路が設置され、前記進水路は本体に一体成形されている。
【０００９】
好ましい実施形態において、前記駆動機構はボタン、前記固定座にピン接合している揺れ部品と歯止め、滑り部品、歯車、歯止めのリセットを駆動するリセット部品、分水盤と歯車を連結する伝動部品を含み、ボタンを押すと揺れ部品が滑り部品を押して滑り、滑り部品は歯止めを駆動して歯車の回転を押し進める。
【００１０】
好ましい実施形態において、前記駆動機構はさらに、前記歯車に対応して設置している位置止め爪を含み、前記位置止め爪は前記固定座に連結している。
【００１１】
好ましい実施形態において、前記リセット部品は前記歯止め端部に連接している弾性アームであり、前記リセット部品に対して前記固定座にシャッターが設置されている。
【００１２】
前記リセット部品は前記固定座に設置しているスプリングであり、前記歯止めには前記スプリングを押し出す当接アームが設置される。
【００１３】
好ましい実施形態において、前記リセット部品は前記固定座に設置しているスプリングであり、前記スプリングは前記滑り部品と前記固定座の間に連結し、前記歯止めと前記滑り部品を締め付けている。
【００１４】
背景技術と比較して、本技術案には以下の有益な効果がある。
【００１５】
１、前記密封リングで分水盤の上表面に一つの防水区を囲み、吐水孔と連通していない分水孔に対応する密封リングで分水盤の下表面を一つの非排水区を囲み、前記防水区と前記非排水区の面積がほぼ同じであることで、分水盤上表面が水圧を受ける面積は分水盤下表面が水圧を受ける面積と同じであり、分水盤上表面と下表面が受ける水圧の作用力が大体同じになる、つまり、分水盤の上表面と下表面には圧力の差がほとんど存在していないので、分水盤の回転力が軽く、切り替えの手触りがよい、同時に、ボタン切り替え機構で水路を切り替える時に、通水状態で各水路を切り替える過程で、ボタンの切り替え力が軽く且つ切り替え力が変わらない。
【００１６】
２、分水盤が回して切り替える過程中、あくまで密封リングを押すので、密封リングの移動が発生しない、そのため分水孔の密封がしっかりしている。
【００１７】
３、前記分水孔の数は６個で、リングの行列で配列し、前記吐水孔の数は４個で、リングの行列で配列しているため、分水盤を３０度回転させる度に、二つの吐水孔と二つの分水孔が揃うようになり、構造が簡単且つ巧妙である。
【００１８】
４、三つの水路のうちの一つの水路の流量は他の二つの水路の流量より遥かに小さいため、この水路を切り替える時に、入浴者はボディーソープ或はシャンプーを簡単に塗ることができ、塗り終わった後も、入浴者はボタンを再び押すと、シャワー状態に切り替えることができ、全過程中、スイッチの切り替えに伴う水温調整が要らなくなることや、水を節約することができるなどの点で便利である。
【００１９】
５、前記固定座は本体と金属嵌め子を含み、前記金属嵌め子は前記本体の下表面に固定され、金属嵌め子の圧力抵抗能力が強いので、水圧による固定座の変形を有効に防止することができる。同時に、最小流量に切り替え、固定座が耐える水圧がもっとも高いときでも、進水路は本体の一側に一体成形しているので、固定座が最大水圧を耐えられるので、水漏れの現象が発生しない。
【００２０】
６、リセット部品はスプリング構造を採用し、ボタン切り替えの寿命を延長することができる。
【００２１】
以下では図と実施例を結合しながら本発明の更なる説明をする。
【図面の簡単な説明】
【００２２】
【図１】図１は本発明の多機能シャワーヘッドの立体分解図である。
【図２】図２は図１に示すシャワーヘッドの分水盤の立体分解図である。
【図３】図３は図１に示すシャワーヘッドの分水盤と分水体を示す。
【図４】図４は図１に示すシャワーヘッドの局部の断面図である。
【図５】図５は図４のＡの拡大図である。
【図６】図６は図１に示すシャワーヘッドの駆動機構の立体図である。
【図７】図７は図１に示すシャワーヘッドの駆動機構の第一の切り替え方式を示す。
【図８】図８は図１に示すシャワーヘッドの駆動機構の第二の切り替え方式を示す。
【発明を実施するための形態】
【００２３】
図１を参照すると、本発明の多機能シャワーヘッドはその切り替えの操作の手触りが軽い。前記シャワーヘッドは分水盤２０、分水盤２０の上に位置する固定座４０、分水盤２０の下に位置する分水体６０と分水盤２０の回転を連れる駆動機構８０を含む。
【００２４】
前記固定座４０は一つの本体４２及び一つの金属嵌め子４４を含み、前記金属嵌め子４４は前記本体４２の下表面に連接する。図４と図５に示すように、分水盤２０と固定座４０の間で一つの流水の集まりキャビティ１０を囲む。前記本体４２には一つの進水路が設置され、前記進水路が本体４２に一体成型されている、前記進水路は前記流水の集まりキャビティ１０と連通している。前記分水盤２０の中部には一つの密封リング３０が嵌めこみ、密封リング３０が分水盤２０と前記固定座４０の間で夾持されている。前記密封リング３０で分水盤２０の上表面に一つの防水区を囲み、つまり、水源が流水の集まりキャビティ１０に入り、密封リング３０の存在で、水は分水盤２０が密封リング３０に囲まれたエリア（防水区）と接触できなくなり、これにより、このエリアは水圧の作用を受けない。
【００２５】
図１、図２と図３を参照すると、前記分水盤２０に４個の吐水孔２２が設置され、４個の吐水孔はリングの行列で配列し、隣接する二つの分水孔２２の間隔は９０度である。そのため、分水盤２０の上表面は流水の集まりキャビティ１０内からの水圧の作用面積Ｓ１は：分水盤２０の上表面の面積から密封リング３０で囲む面積（つまり防水区の面積）を引き、さらに、４個の吐水孔２２の面積を引いたものである。  
【００２６】
前記分水体６０には６個の分水孔６２が設置され、６個の分水孔６２はリングの行列で配列し、隣接する二つの分水孔の間隔は６０度である。前記分水孔６２には密封リング６４が設置され、六個の密封リング６４が連結している。図４と図５の示しと結合し、前記分水盤２０と前記分水体６０で一つの減圧水キャビティ５０を囲む。一つの弾性部品７０は分水盤２０をしっかりと密封リング６４の上に押しつける。使用状態では、二つの分水孔６２を使って二つの吐水孔２２と連通し、うち、吐水孔２２と連通していない４個の分水孔６２に対応する密封リング６４で分水盤２０の下表面に一つの非排水区を囲む。そのため、分水盤２０の下表面の減圧水キャビティ５０からの水圧の作用面積Ｓ２は：分水盤２０の下表面の面積から４個の吐水孔と連通していない分水孔に対応する密封リング６４の面積（つまり非排水区の面積）を引き、さらに、４個の吐水孔２２の面積を引いたものである。前記分水盤２０にはさらに分水盤２０の上下表面を連通する４個の通路２４がある。
【００２７】
分水盤２０の上表面と下表面の面積が同じであるので、本発明の前記防水区と前記非排水区の面積はほぼ同じ、つまり、Ｓ１≒Ｓ２としてもよい。そこで、水圧の分水盤２０の上下表面への作用力がお互いに相殺し、分水盤２０の回転が簡単になる。
【００２８】
水路の切り替え原理を簡単に説明するため、４個の吐水孔２２を二つの第一吐水孔２２ａと二つの第二吐水孔２２ｂに分け、６個の分水孔６２を二つの甲分水孔６２ａ、二つの乙分水孔６２ｂ、二つの丙分水孔６２ｃに分ける。二つの甲分水孔６２ａ、二つの乙分水孔６２ｂ、二つの分水孔６２ｃはそれぞれ三つの水路を通る。
【００２９】
二つの第一吐水孔２２ａが二つの甲分水孔６２ａに向いている時、水流は甲分水孔６２に沿って第一水路に流れる。この時シャワーヘッドからの散水量が小さく、シャワーヘッドは水止まりの状態である。分水盤２０を３０度回転させ、二つの第二吐水孔２２ｂを二つの乙分水孔６２ｂに向けると、水流は乙分水孔６２ｂに沿って第二水路に流れる。この時のシャワーヘッドの散水量は大きく、シャワーヘッドは第一機能で散水する；分水盤２０を継続して３０度を回転させ、二つの第一吐水孔２２ａを二つの丙分水孔６２ｃに向けると、水流は丙分水孔６２ｃに沿って第三水路に流れる。この時のシャワーヘッドの散水量は大きく、シャワーヘッドは第二機能で散水する；順次循環する。
【００３０】
図１と図６を参照し、以下は駆動機構８０が分水盤２０を連動して回転させることを説明する。
【００３１】
前記駆動機構８０は一つのボタン８１、固定座４０にピン接合している揺れ部品８２と歯止め８３、固定座４０に連接している滑り部品８４、一つの歯車８５、歯止め８３のリセットを駆動するリセット部品８６、分水盤２０と歯車８５を連結する伝動部品８７、歯車８５が逆方向に回転するのを防止する止め爪８８を含む。前記リセット部品８６は前記歯止め８３端部と連接している弾性アームであり、リセット部品８６と歯止め８３の連接部は固定座４０とピン接合し、前記固定座４０の上には、前記リセット部品８６に対応してシャッター４６が設置されている。止め爪８８は固定座８０に連接している。
【００３２】
ボタン８１を押すと、揺れ部品８２を連動して揺れさせ、且つ、揺れ部品８２が滑り部品８４を押して滑らせ、滑り部品８４は歯止め８３を駆動して歯車８５を３０度回転させ、伝動部品８７の作用により、分水盤２０は歯車８５と同時に３０度を回転し、同時に、リセット部品８６はエネルギーを貯めて歯止め８３のリセットを駆動する。
【００３３】
図７を参照すると、前記リセット部品は前記固定座に設置しているスプリング８６ａでもよい。前記歯止め８３には前記スプリング８６ａを押し出す当接アーム８３２が設置され、これにより、前記スプリング８６ａは当接アーム８３２を推し進め歯止め８３はリセットされる。
【００３４】
図８を参照すると、或は、前記リセット部品は前記固定座の内部に設置しているスプリング８６ｂでもよい、前記スプリング８６ｂは前記滑り部品８４と前記固定座４０の間に連結され、前記歯止め８３と前記滑り部品８４が締め付けているので、これにより、スプリング８６ｂは滑り部品８４を推し進んで歯止め８３をリセットさせる。
【産業上の利用可能性】
【００３５】
以上は本発明の具体的な実施例を開示したが，本発明のデザインアイデアはこれに限定されるものではなく，本発明のアイデアの範囲に基づいて非実性的に変形させることは可能であり，それらは本発明の請求項の保護範囲から排除するものではない。
【図１】
2016140767.tif 000003
【図２】
2016140767.tif 000004
【図３】
2016140767.tif 000005
【図４】
2016140767.tif 000006
【図５】
2016140767.tif 000007
【図６】
2016140767.tif 000008
【図７】
2016140767.tif 000009
【図８】
2016140767.tif 000010